(57)【要約】【課題】パチンコ機やスロットマシンのような遊技機に用いられる回転ドラム式表示器であって、そのリールドラムのバックライトである白色ＬＥＤの光が色斑となって表れることなくシンボルマークが常に綺麗に表示できるようにする。【解決手段】シンボルマークが印刷された帯状表示フィルム３を透光性，光拡散性のプラスチック材からなるリールドラム２ａ，２ｂ，２ｃの外周に貼着し、該リールドラムの内側に白色ＬＥＤ９ａ，９ｂからなるバックライトを設けた回転ドラム式表示器において、帯状表示フィルム３は波長６００ｎｍ以上の光の透過率が４５〜８５％である青みがかったものとする。【選択図】図３
2006110247.tif 000002
【特許請求の範囲】
【請求項１】
シンボルマークが印刷された帯状表示フィルムを透光性，光拡散性のプラスチック材からなるリールドラムの外周に貼着し、該リールドラムの内側に白色ＬＥＤからなるバックライトを設けた回転ドラム式表示器において、
前記帯状表示フィルムは全体に青みがかった透明フィルムにシンボルマークを印刷したものとすることを特徴とした遊技機の回転ドラム式表示器。
【請求項２】
シンボルマークが印刷された帯状表示フィルムを透光性，光拡散性のプラスチック材からなるリールドラムの外周に貼着し、該リールドラムの内側に白色ＬＥＤからなるバックライトを設けた回転ドラム式表示器において、
前記帯状表示フィルムの裏面全体に青みがかった透明フィルムを介在させたことを特徴とする遊技機の回転ドラム式表示器。
【請求項３】
シンボルマークが印刷された帯状表示フィルムを透光性，光拡散性のプラスチック材からなるリールドラムの外周に貼着し、該リールドラムの内側に白色ＬＥＤからなるバックライトを設けた回転ドラム式表示器において、
前記帯状表示フィルムに全体的に青みがかったシンボルマークを印刷したものとすることを特徴とする遊技機の回転ドラム式表示器。
【請求項４】
青みがかった透明フィルムは波長６００ｎｍ以上の光の透過率が４５〜８５％のものである請求項１〜３のいずれかに記載の遊技機の回転ドラム式表示器。
【発明の詳細な説明】
【技術分野】
【０００１】
本発明はパチンコ機やスロットマシンのような遊技機に用いられる回転ドラム式表示器に関するものである。
【背景技術】
【０００２】
遊技機の回転ドラム式表示器は、下記特許文献１に示されたように、白熱電球よりも寿命の長い白色ＬＥＤをドラムリールのバックライトとして複数個配置したものが知られている。
【特許文献１】特開平１０−３２８３５０号公報
【発明の開示】
【発明が解決しようとする課題】
【０００３】
ところで、白色ＬＥＤの発光色は、製造ロットによって、青みがかった白色であったり、赤みがかった白色であったりするなど、製品ごとに色彩が一定しないため、従来では同系統の色彩のＬＥＤを１つの回転ドラム式表示器に集めて使用することにより、色斑を解消させようとしていた。しかしＬＥＤの選別に手間が掛かるという問題があった。
また、赤みがかった白色ＬＥＤは、シンボルマークやその周囲に赤い斑点となって表れ易いとともに、ドラムが回転することでその斑点がいっそう目立つという問題があった。これは、赤みがかった光は青みがかった光よりも波長が長いため、光拡散性のあるドラムリールを透過すると夕焼けと同じ現象により赤色が強調され斑点となって表れるものと考えられる。
そこで本発明はこのような問題を解決し、常に見易い綺麗な表示が可能な白色ＬＥＤをバックライトとする回転ドラム式表示器を提供しようとするものである。
【課題を解決するための手段】
【０００４】
そのために請求項１に記載の発明は、シンボルマークが印刷された帯状表示フィルムを透光性，光拡散性のプラスチック材からなるリールドラムの外周に貼着し、該リールドラムの内側に白色ＬＥＤからなるバックライトを設けた回転ドラム式表示器において、前記帯状表示フィルムは全体に青みがかった透明フィルムにシンボルマークを印刷したものとすることを特徴とする。
【０００５】
また、請求項２に記載の発明は、シンボルマークが印刷された帯状表示フィルムを透光性，光拡散性のプラスチック材からなるリールドラムの外周に貼着し、該リールドラムの内側に白色ＬＥＤからなるバックライトを設けた回転ドラム式表示器において、前記帯状表示フィルムの裏面全体に青みがかった透明フィルムを介在させたことを特徴とする。
【０００６】
また、請求項３に記載の発明は、シンボルマークが印刷された帯状表示フィルムを透光性，光拡散性のプラスチック材からなるリールドラムの外周に貼着し、該リールドラムの内側に白色ＬＥＤからなるバックライトを設けた回転ドラム式表示器において、前記帯状表示フィルムに全体的に青みがかったシンボルマークを印刷したものとすることを特徴とする。
【０００７】
また、請求項４に記載の発明は、上記回転ドラム式表示器において、青みがかった透明フィルムは波長６００ｎｍ以上の光の透過率が４５〜８５％のものであることを特徴とする。
【発明の効果】
【０００８】
白色ＬＥＤについて発光色に多少のバラツキがあっても、赤い点のような色斑が出ることなく表示が常に綺麗な回転ドラム式表示器を提供できる。
【実施例１】
【０００９】
次に本発明の実施例を説明する。図１は本発明に係る回転ドラム式表示器の斜視図、図２はそのＡ−Ａ線断面図、図３はこの回転ドラム式表示器の要部の部分断面斜視図である。この回転ドラム式表示器は、ケース１内に円筒形のリールドラム２ａ，２ｂ，２ｃが設けられ、該各リールドラムは透光性，光拡散性のプラスチック材により円筒形に成形される。そして、ケース１内は隔壁板４ａ，４ｂ，４ｃにより３区画に仕切られ、該各リールドラムは、該隔壁板の一側面に固定されたステッピングモータ５の回転軸にハブ部６を固着することにより支持される。そして、図４に示したように、種々のシンボルマークが印刷された帯状表示フィルム３が該各リールドラム２ａ，２ｂ，２ｃの外周に貼着される。
【００１０】
７は該各リールドラムの内側になるように隔壁板４の一側面に固定されたライトユニットで、該ライトユニットは、リフレクタ８ａ，８ｂ，８ｃが円弧状に隣接するように一体に形成され、該各リフレクタの中心部に形成された透孔に２つの白色ＬＥＤ９ａ，９ｂが嵌合するように該各白色ＬＥＤが基盤１０に実装される。
【００１１】
しかして本発明では、前記帯状表示フィルム３として波長６００ｎｍ以上の光の透過率が低く青みがかった透明フィルムにシンボルマークを印刷したものとしている。即ち、図５の光透過率曲線図に範囲を斜線で示すように、波長６００ｎｍ以上の光の透過率が４５〜８５％である青みがかった透明フィルムを帯状表示フィルム３として使用する。この範囲にある透明フィルムを帯状表示フィルム３として使用することにより、白色ＬＥＤ９ａ，９ｂが赤い斑点となって表れることをなくすことができる。なお、波長６００ｎｍ以上の光の透過率が４５％以下である透明フィルムでは全体として青色が強くなり、シンボルマークを所期の色彩に表示することができない。また、波長６００ｎｍ以上の光の透過率が８５％以上である透明フィルムでは白色ＬＥＤによって生じ得る色斑９ａ，９ｂを解消させることができないので、該透明フィルムの光の透過率は図５に斜線で示したように波長６００ｎｍ以上の光の透過率が４５〜８５％であるものを使用するのが望ましい。
【００１２】
これによって、白色ＬＥＤの発光色に多少のバラツキがあっても、赤い点のような色斑が出ることなくシンボルマークを所期の色彩により綺麗に鮮明に表示することができる。
【００１３】
また、以上の実施例では帯状表示フィルム３として波長６００ｎｍ以上の光の透過率が４５〜８５％で全体に青みがかった透明フィルムにシンボルマークを印刷したものとしたが、請求項２に記載したように、帯状表示フィルム３とは別途に波長６００ｎｍ以上の光の透過率が４５〜８５％で全体に青みがかった透明フィルムを用意し、この透明フィルムを帯状表示フィルム３に重ね合わせてリールドラム２ａ，２ｂ，２ｃの外周に貼着することによっても、色斑が表れることなくシンボルマークを所期の色彩により綺麗に鮮明に表示することができる。
【００１４】
また、請求項３に記載したように、全体的に青みがかった状態でシンボルマークを帯状表示フィルムに印刷することによっても、色斑が表れることなく所期の色彩により綺麗で鮮明な表示をすることができる。なお、その青みがかった印刷についても波長６００ｎｍ以上の光の透過率が４５〜８５％のものとすることが望ましい。
【産業上の利用可能性】
【００１５】
本発明はパチンコ機やスロットマシンのような遊技機における回転ドラム式表示器であって、白色ＬＥＤをドラムリールのバックライトとして使用するものに広く利用することができる。
【図面の簡単な説明】
【００１６】
【図１】本発明に係る回転ドラム式表示器の斜視図。
【図２】図１の回転ドラム式表示器のＡ−Ａ線断面図。
【図３】本発明に係る回転ドラム式表示器のリールドラムとバックライトの部分断面斜視図。
【図４】本発明に係る回転ドラム式表示器のリールドラムと帯状表示フィルムの斜視図。
【図５】本発明に係る回転ドラム式表示器に用いられる透明フィルムの光透過率を示したグラフ。
【符号の説明】
【００１７】
１                  ケース
２ａ，２ｂ，２ｃ    リールドラム
３                  帯状表示フィルム
４ａ，４ｂ，４ｃ    隔壁板
５                  ステッピングモータ
７                  ライトユニット
８ａ，８ｂ，８ｃ    リフレクタ
９ａ，９ｂ          白色ＬＥＤ
１０                基盤
【図１】
2006110247.tif 000003
【図２】
2006110247.tif 000004
【図３】
2006110247.tif 000005
【図４】
2006110247.tif 000006
【図５】
2006110247.tif 000007